(57)【要約】【課題】  遊技盤面の釘、入賞口、表示部の存在に影響を受けることなく多様性および発展性に富んだ光装飾を可能とし、これにより遊戯内容の高度化や複雑化に十分に追従して遊技表現のバリエーションを大幅に増大させることができる遊技装置を提供する。【解決手段】  玉Ｂが投入される遊技盤面１０と対応する位置に２枚の透明ガラス板２１，２２が重ねて設けられ、その透明ガラス板２１，２２の相互間に発光体たとえば陰極管２３ａ，２３ｂ，２３ｃ，２３ｄが設けられている。【選択図】      図１
2005110931.tif 000002
【特許請求の範囲】
【請求項１】
玉が投入される遊技盤面と、
前記遊技盤面と対応する位置に重ねて設けられた複数枚の透明ガラス板と、
前記各透明ガラス板の相互間に設けられた発光体と、
を備えたことを特徴とする遊技装置。
【請求項２】
玉が投入される遊技盤面と、
前記遊技盤面と対応する位置に重ねて設けられた複数枚の透明ガラス板と、
前記遊技盤面の少なくとも周縁に沿って、かつ前記各透明ガラス板の相互間に設けられた発光体と、
を備えたことを特徴とする遊技装置。
【請求項３】
前記各透明ガラス板および前記発光体は、着脱自在にユニット化されていることを特徴とする請求項１または請求項２に記載の遊技装置。
【請求項４】
前記発光体は、１本または複数本の陰極管であることを特徴とする請求項１ないし請求項３のいずれかに記載の遊技装置。
【発明の詳細な説明】
【技術分野】
【０００１】
この発明は、玉を遊技盤面に投入して玉入賞口に入れることを楽しむ遊技装置に関する。
【背景技術】
【０００２】
遊技装置たとえばパチンコ台の遊技盤面には、複数の玉入賞口、多数本の釘、多数の発光体による光装飾、各種図柄を表示する表示部などが設けられている。表示部の例として、同軸上に複数のリール（ドラムとも称す）を配列し、これらリールの周面にそれぞれ図柄を描いたものがある。液晶表示部を採用し、リールと図柄などの画像パターンを表示するものもある。
【０００３】
遊技盤面の外側には、玉を発射させるための操作ハンドルおよび玉受けトレイが設けられている。遊技者は、操作ハンドルを回動操作することにより、発射ユニットのモータが動作し、玉受けトレイに収容されている玉が１個ずつ連続して盤面に向け発射される（打ち出される）。
【０００４】
発射された玉は、遊技盤面に投入され、遊技盤面上を多数本の釘に当りながら落下する。落下する玉が途中の玉入賞口に入ると、入賞の旨が各発光体の発光によって報知されるとともに、所定数の玉が玉受けトレイに放出される。玉入賞口には、常時開放状態の通常入賞口および始動入賞口があり、さらに、通常時は閉じて特別の大当り時のみ開放する大当り入賞口がある。始動入賞口に玉が入ると、表示部の各リールが回転を始め、その回転がやがて停止する。この停止時の各リール上の図柄の組合せが特定のパターンに一致したとき、大当りとなり、大当り入賞口が一定時間にわたり継続的に開放するようになっている。
【発明の開示】
【発明が解決しようとする課題】
【０００５】
このようなパチンコ台において、遊技盤面の発光体による光装飾は、遊技性や娯楽性を高めるための重要な要素となっている。
【０００６】
反面、遊技盤面には釘、入賞口、表示部などがひしめいており、その限られたスペースの中での光装飾では、最近の遊技内容の高度化や複雑化に十分に追従できないことがある。
【０００７】
この発明は上記の事情を考慮したもので、その目的とするところは、遊技盤面の釘、入賞口、表示部の存在に影響を受けることなく多様性および発展性に富んだ光装飾を可能とし、これにより遊戯内容の高度化や複雑化に十分に追従して遊技表現のバリエーションを大幅に増大させることができる遊技装置を提供することにある。
【課題を解決するための手段】
【０００８】
請求項１に係る発明の遊技装置は、玉が投入される遊技盤面と、この遊技盤面と対応する位置に重ねて設けられた複数枚の透明ガラス板と、この各透明ガラス板の相互間に設けられた発光体と、を備えている。
【０００９】
請求項２に係る発明の遊技装置は、玉が投入される遊技盤面と、この遊技盤面上と対応する位置に重ねて設けられた複数枚の透明ガラス板と、上記遊技盤面の少なくとも周縁に沿って、かつ上記各透明ガラス板の相互間に設けられた発光体と、を備えている。
【００１０】
請求項３に係る発明の遊技装置は、請求項１または請求項２に係る発明において、各透明ガラス板および発光体が、着脱自在にユニット化されている。
【００１１】
請求項４に係る発明の遊技装置は、請求項１ないし請求項３のいずれかに係る発明において、発光体が、１本または複数本の陰極管である。
【発明の効果】
【００１２】
この発明によれば、遊技盤面の釘、入賞口、表示部の存在に影響を受けることなく多様性および発展性に富んだ光装飾が可能となり、これにより遊戯内容の高度化や複雑化に十分に追従して遊技表現のバリエーションを大幅に増大させることが可能な遊技装置を提供できる。
【発明を実施するための最良の形態】
【００１３】
以下、この発明の一実施形態について図面を参照しながら説明する。図１は遊技装置たとえばパチンコ台の外観図で、図２は図１のＡ−Ａ線に沿う断面を矢印方向に見た図である。
【００１４】
１は遊技装置いわゆるパチンコ台で、基台２およびその基台２に対して開閉自在に設けられた蓋体３からなる。基台２には遊技盤面１０が設けられ、蓋体３を開くことにより遊技盤面１０に触れることができる。蓋体３には、遊技盤面１０と対応する位置に、遊技盤面１０側から挿入する形で、ガラスユニット２０が嵌め込み装着されている。このガラスユニット２０を通して遊戯盤面１０を見ることができる。
【００１５】
遊技盤面１０には、略中央に表示窓１１が設けられている。表示窓１１内には、図示していないが、同軸上に配列された３つのリールが回転可能に収容されている。各リールの表面には、多数の図柄が周方向に沿って所定間隔で順次に並べて描かれている。表示窓１１に液晶表示部を設け、リールや図柄に限らず種々の画像パターンを表示する場合もある。
【００１６】
また、遊技盤面１０には、常時開放状態の始動入賞口１２、通常時は閉じている大当り入賞口１３、常時開放状態の通常入賞口１４などの玉入賞口が多数本の釘（図示しない）と共に設けられている。
【００１７】
蓋体３の前面には、ガラスユニット２０の下方に、玉受けトレイ４、玉収容皿５、および操作ハンドル６が設けられている。この操作ハンドル６が遊技者によって回動操作されることにより、玉受けトレイ４に収容されている玉Ｂが順に打ち出されて遊技盤面１０に投入される。遊技盤面１０に投入された玉Ｂは、多数の釘に当たりながら落下する。落下する玉Ｂが玉入賞口１２，１３，１４のいずれかに入ると（入賞）、所定数の玉Ｂが玉受けトレイ４に放出される。このうち、大当り入賞口１３は、通常時は閉じて特別の大当り時のみ開放し（受け皿のように突出し）、上方から落下してくる玉Ｂを受け入れる。玉受けトレイ４が玉Ｂで満杯になると、それ以降の入賞に基づいて放出される玉Ｂが玉収容皿５の方に流れる。玉受けトレイ４の玉Ｂをレバー操作によって玉収容皿５に落とすことも可能である。
【００１８】
一方、ガラスユニット２０は、円形で複数板たとえば２枚の透明ガラス板２１，２２を環状の枠体２４に順次に嵌め込みながら、その嵌め込みに際して透明ガラス板２１，２２の相互間に且つ透明ガラス板２１，２２の周縁部（＝遊技盤面１０の周縁部）と対応する位置に発光体として複数本の陰極管２３ａ，２３ｂ，２３ｃ，２３ｄを挟み込んだもので、枠体２４の後端部および後方側透明ガラス板２２の周縁部に複数個の押え部材２５を取付け、その各押え部材２５を枠体２４にそれぞれ螺子止め固定している。こうして一体化されたガラスユニット２０が、蓋体３に対し着脱自在に装着されている。  
陰極管２３ａ，２３ｂ，２３ｃ，２３ｄは、それぞれ個別に配線接続されており、個別の通電が可能となっている。
【００１９】
このように、透明ガラス板２１，２２の相互間に陰極管２３ａ，２３ｂ，２３ｃ，２３ｄを設けていることにより、遊技盤面１０の限られたスペースを釘、表示部１１、入賞口１２，１３，１４の配設領域として最大限に活用しながら、その配設に影響を受けることなく多様性および発展性に富んだ光装飾が可能となる。ひいては、高度化あるいは複雑化する遊技内容をバリエーション豊かに表現することができる。これにより、入賞の形態や遊技状況を遊技者に的確に報知することができる。
【００２０】
遊技盤面１０に打ち付ける釘の本数を増やすことができるので、玉Ｂが最下部まで落下するのに要する時間が長くなる。この落下時間の延長により、玉Ｂの１個当たりの遊技時間が長くなり、遊技者が玉購入に使う金額が減少して賭博性を軽減することができる。
【００２１】
しかも、陰極管２３ａ，２３ｂ，２３ｃ，２３ｄは、発光領域を管軸方向に沿って自由に変化させることができる。図１は、陰極管２３ａ，２３ｂ，２３ｃ，２３ｄのそれぞれ下端部から上端部に向かって３／４ぐらいまでの領域が点灯している状態を例として示している。すなわち、陰極管２３ａ，２３ｂ，２３ｃ，２３ｄの発光とその発光領域の調節によっても、遊技内容の高度化や複雑化に十分に追従した適切な光装飾が可能である。陰極管２３ａ，２３ｂ，２３ｃ，２３ｄとして、発光色が互いに異なるものを組み合わせて使用することも可能である。
【００２２】
陰極管２３ａ，２３ｂ，２３ｃ，２３ｄが透明ガラス板２１，２２の相互間に設けられているので、遊技盤面１０に投入された玉Ｂが陰極管２３ａ，２３ｂ，２３ｃ，２３ｄに直接に当たることがない。よって、玉Ｂによる陰極管２３ａ，２３ｂ，２３ｃ，２３ｄの損傷を未然に防ぐことができる。
【００２３】
透明ガラス板２１，２２の相互間に空気層が存在することにより、玉Ｂが釘や透明ガラス板２２に当たるときに発生する音が遊技者側に漏れ難くなり、騒音低減が図れる。
【００２４】
陰極管２３ａ，２３ｂ，２３ｃ，２３ｄを交換する場合、ガラスユニット２０を蓋体３から容易に取外して交換作業を行うことができ、作業が簡単である。ガラスユニット２０ごと、新品に替えることも容易である。
【００２５】
なお、上記実施形態では、陰極管２３ａ，２３ｂ，２３ｃ，２３ｄを遊技盤面１０の周縁部と対応する位置に配設したが、その配設位置に限定はない。たとえば、遊技盤面１０上のたとえば表示部１１の周縁部と対応する位置に別の陰極管を配設してもよい。この場合、透明ガラス板２１，２２のほぼ中央部に陰極管が設けられるため、陰極管への通電用の配線として透明の配線パターンが使用される。
【００２６】
その他、この発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００２７】
【図１】この発明の一実施形態の外観を示す斜視図。
【図２】図１のＡ−Ａ線に沿う断面を矢印方向に見た図。
【符号の説明】
【００２８】
１…パチンコ台、２…基台、３…蓋体、１０…遊技盤面、１１…表示部、１２，１３，１４…入賞口、２０…ガラスユニット、２１，２２…透明ガラス板、２３ａ，２３ｂ，２３ｃ，２３ｄ…陰極管、２４…枠体、２５…押え部材
【図１】
2005110931.tif 000003
【図２】
2005110931.tif 000004